(57)【要約】      （修正有）【課題】吸水消臭性を有するマットを保持するためのベースとカバーとからなるマットホルダについて、ベースのカバーへの付け外しを容易にする。【解決手段】ベース２０のボトムパネル２１上面前後縁にフランジ２２を連設し、カバー１０のサイドパネル１２下縁に内向きの抜け止め片１３を連設し、カバー１０をベース２０に被せた状態でこれらを係合させて取り付ける。カバー１０を前方向にスライドさせて前側抜け止め片１３と前側フランジ２２との係合を解除し、後部を中心に上方に回動させると、後側抜け止め片１３と後側フランジ２２も係合解除可能となって、ベース２０から簡単に取り外しできる。逆にカバー１０をベース２０に対して傾斜させた状態で後側抜け止め片１３を後側フランジ２２の下面に係合させ、ついで下方に回動させたのちに、後方向にスライドさせると前側抜け止め片１３が前側フランジ２２の下面に係合するため、ベース２０に簡単に再度取り付けられる。【選択図】図３
0003153068.tif 000002
【実用新案登録請求の範囲】
【請求項１】
吸水消臭性を有するマットＭを収納するマットホルダ１であって、
床に載置するベース２０と、このベース２０に被せて取り付けたカバー１０とからなり、
前記ベース２０は、
上面に前記マットＭを載置する矩形のボトムパネル２１と、
このボトムパネル２１上面の前後縁に連設されてそれぞれ外向きに張り出す前後のフランジ２２と、を有し、
前記カバー１０は、
前記ベース２０のボトムパネル２１に対向し、多数の貫通孔１１ａを有する矩形のトップパネル１１と、
このトップパネル１１の四辺から垂下する前後左右のサイドパネル１２と、
この前後のサイドパネル１２の下縁からそれぞれ内向きに延びて前記ベース２０の前後のフランジ２２下面にそれぞれ係合する前後の抜け止め片１３と、を有し、
前記カバー１０は、前方向にスライドさせると、前側の抜け止め片１３の前側のフランジ２２に対する係合が解除されることで、後部を中心に上方に回動可能となり、ベース２０から取り外し可能となるマットホルダ。
【請求項２】
前記ボトムパネル２１は、発泡塩化ビニル製である請求項１に記載のマットホルダ。
【考案の詳細な説明】
【技術分野】
【０００１】
この考案は、吸水消臭性を有するマットを収納するマットホルダに関する。
【背景技術】
【０００２】
男性が小便器に排尿する際には、小便器からはね返った尿が手前側に飛び散りやすい。これを放置しておくと床に尿が溜まって不潔であり、また乾燥して床にこびりつくなどすると悪臭を放つ。
そこで、吸水消臭性を有するマットを小便器の手前側に置いて、小便器から飛散した尿をこのマットで吸収することが考えられる。
このように吸水消臭性を有するマットを用いるにあたっては、そのマットを靴で踏むのは衛生的に好ましくないし、足が滑ると危険でもある。そのため、マットをマットホルダに収納して、じかに足に触れないような状態で床に置くのが好ましい。
【０００３】
かかるマットホルダとして、図６のような、吸水消臭性マットＭを載置する扁平な箱型のベース２０と、ベース２０にかぶせてその開口を閉塞するカバー１０と、からなるものが考案されている（特許文献１および２参照）。
【０００４】
この種のマットホルダ２のカバー１０のほぼ全面には、多数の貫通孔が開けられているため、飛散する尿はこの貫通孔を通じてホルダ内のマットＭの表面に付着し、吸収されることになる。
尿を吸収したマットＭは、定期的にマットホルダ２から取り出されて新品のマットＭと取り替えられるか、またはクリーニングした後に再度使用するかされ、これによりトイレの清潔が保たれる。
【０００５】
ところで、かかる従来のマットホルダ２では、そのカバー１０が勝手に開いて、マットＭが中からはみ出たりしないように、ベース２０の開口をカバー１０が塞いだ状態で、図６（ｃ）のように側面からコの字型のクリップ３０をはめ込んでカバー１０をベース２０に取り付けることが行われている。
【０００６】
たしかに、このようにクリップ３０を用いると、カバー１０が勝手に開くことがなくなるため、その限りにおいては便利である。
しかしその一方で、カバー１０を開閉するたびにクリップ３０をマットホルダ２に付け外しするのは手間がかかり不便である。また、クリップ３０のぶんだけ部品点数が増えてコスト的に不利でもある。
【０００７】
また、この種のマットホルダ２は、耐腐食性などを考慮してカバー１０とベース２０のいずれもがステンレス製であり、さらに図６（ａ）および（ｂ）のように、ベース２０にマットＭの滑り止めのために、上向きコの字型のチャンネル部材２４を付属させているため、重量が大きく持ち運びが不便でもある。
【先行技術文献】
【特許文献】
【０００８】
【特許文献１】特開２００４−２５４８５２号公報
【特許文献２】実用新案登録第３１３６４９６号公報
【考案の概要】
【考案が解決しようとする課題】
【０００９】
そこでこの考案の解決すべき第一の課題は、吸水消臭性を有するマットを保持するためのベースとカバーとからなるマットホルダについて、ベースのカバーへの取り付けおよび取り外しを容易にするとともに、部品点数を削減することである。
【００１０】
また、この考案の解決すべき第二の課題は、上述した第一の課題を解決したうえで、さらにマットホルダの軽量化を図ることである。
【課題を解決するための手段】
【００１１】
上記した第一の課題を解決するため、吸水消臭性を有するマットを収納するマットホルダについて、その床に載置するベースと、このベースに被せて取り付けられるカバーとを以下の構成としたのである。
すなわち前記ベースは、上面に前記マットを載置する矩形のボトムパネルと、このボトムパネル上面の前後縁に連設されてそれぞれ外向きに張り出す前後のフランジと、を有する構成としたのである。
また前記カバーは、前記ベースのボトムパネルに対向し、多数の貫通孔を有する矩形のトップパネルと、このトップパネルの四辺から垂下する前後左右のサイドパネルと、この前後のサイドパネルの下縁からそれぞれ内向きに延びて前記ベースの前後のフランジ下面にそれぞれ係合する前後の抜け止め片と、を有するものとしたのである。
そして、前記カバーは、前方向にスライドさせると、前側の抜け止め片の前側のフランジに対する係合が解除されることで、後部を中心に上方に回動可能となり、ベースから取り外し可能となるように構成したのである。
【００１２】
以上のように、カバーをベースに取り付けた状態から、スライドおよび回動させるだけで取り外し可能となり、逆の動作を行うと再度取り付け可能となる。そのため、カバーのベースに対する取り付け取り外しをワンタッチで行うことができる。
またクリップが不要となるので、部品点数を削減でき、その結果低コスト化が図られる。
なお、ここでいうマットには、パイルがタフティングされた厚みの比較的大きいものだけでなく、不織布シートのような厚みの比較的小さいものなど、シート状物の全般が包含される。
【００１３】
さらに、上述した第二の課題を解決するため、ベースのボトムパネルを発泡塩化ビニル製としたのである。
これにより、従来のベースがステンレス製であるマットホルダに比べて、軽量化が図られ、その結果持ち運び等が容易となる。また、発泡塩化ビニルは、安価であり、耐衝撃性、柔軟性、加工性も良好である。
【考案の効果】
【００１４】
考案にかかるマットホルダを以上のように構成したので、カバーのベースに対する取り付け取り外しを容易に行うことができ、またクリップが不要となるのでコストも抑えられる。
【図面の簡単な説明】
【００１５】
【図１】実施形態にかかるマットホルダの斜視図
【図２】実施形態にかかるマットホルダの分解斜視図
【図３】実施形態にかかるマットホルダの分解縦断面図
【図４】実施形態にかかるマットホルダの縦断面図
【図５】実施形態にかかるマットホルダの他の例を示す平面図
【図６】（ａ）および（ｂ）は従来のマットホルダの縦断面図、（ｃ）は従来のマットホルダの側面図
【考案を実施するための形態】
【００１６】
以下図面を参照しつつ、この考案の実施形態について説明する。
【００１７】
図1に示すように、実施形態のマットホルダ１は、吸水消臭性を有するマットを収納した上で、小便器Ｔの手前側の床に載置され、小便器Ｔからはね返った尿をマットで吸収して、床が尿で汚れるのを防ぐために使用される。
このマットホルダ１は、図２のように、床に載置されるベース２０と、ベース２０に被せられて取り付けられたカバー１０と、からなる。
カバー１０は、後述するように、前方向にスライドさせ後部を中心に回動させるとベース２０から取り外し可能となり、ここから逆に下方に回動させて次いで後方向にスライドさせると再びベース２０に取り付けられるようになっている。
【００１８】
詳細には、図２から図４のように、ベース２０は、上面にマットＭを載置するボトムパネル２１と、ボトムパネル２１の上面に連設される前後一対のフランジ２２と、左右一対のストッパ２３と、を有する。
【００１９】
ボトムパネル２１は略矩形をなし、その後縁が略三角形に窪んで凹部２１ａが形成されている。
短冊形の一対のフランジ２２は、ボトムパネル２１上面の前後縁にそれぞれ固定され、ボトムパネル２１の凹部２１ａに対応する部分は切り欠かれている。
各フランジ２２は、ボトムパネル２１よりも外側に突出しているため、ベース２０を床に載置した状態で、フランジ２２下面と床との間には隙間が形成される。
この実施形態では、図示のように、後フランジ２２のボトムパネル２１からの突出量は前フランジ２２のボトムパネル２１からの突出量よりも大きくなっている。
【００２０】
短冊形の一対のストッパ２３は、ボトムパネル２１上面の左右縁にそれぞれ固定されており、フランジ２２とは異なり、ボトムパネル２１からは突出していない。
ボトムパネル２１の上面に載置されたマットＭは、四方よりフランジ２２とストッパ２３に囲まれているため、そのずれ動きが防止され、ベース２０からはみ出さないようになっている。
【００２１】
これらボトムパネル２１、フランジ２２、およびストッパ２３は、それぞれ合成樹脂板を適宜切断することで形成されており、両者は接着などにより固定されている。
合成樹脂板としては、発泡塩化ビニル板、発泡ＡＢＳ板、塩化ビニル板（ソリッド板）が例示されるが、発泡塩化ビニル板が軽量であり、耐衝撃性も高く、接着性も良好であるため好ましい。また発泡塩化ビニル板の発泡倍率は特に限定されないが、１５０％〜２００％が好ましく、約２００％であるのが特に好ましい。
【００２２】
ここでボトムパネル２１やフランジ２２の厚みは、軽量化と耐衝撃性の要請に反しない限りは特に限定されないが、たとえば２ｍｍ〜５ｍｍ、ボトムパネル２１は約２ｍｍ、フランジ２２およびストッパ２３は約５ｍｍが例示できる。
また、ボトムパネル２１やフランジ２２の長さ寸法も特に限定されないが、ボトムパネル２１の前後方向の長さが約４３０ｍｍ、前フランジ２２の幅が約１０ｍｍ、後フランジ２２の幅が約１５ｍｍ、が例示できる。
さらに、各フランジ２２のボトムパネル２１からの突出量も特に制限されないが、後フランジ２２が約１０ｍｍ、前フランジ２２が約５ｍｍ、が例示できる。
ベース２０全体の重量も特に限定されないが、持ち運びの便から１ｋｇ〜２ｋｇが好ましく、約１ｋｇにするとより好ましい。
【００２３】
一方図１から図４のように、カバー１０は、略矩形のトップパネル１１と、トップパネル１１の四辺から垂下する前後左右のサイドパネル１２と、前後のサイドパネル１２の下縁から内向きにそれぞれ延びる抜け止め片１３と、からなる。
図４のように、カバー１０をベース２０に取り付けた状態で、トップパネル１１は、ベース２０のボトムパネル２１上面とほぼ平行に対向しており、前後の抜け止め片１３は、その先端部がベース２０のフランジ２２の下面に係合している。
【００２４】
ここで図１および図２のように、トップパネル１１は、そのほぼ全面に円形の貫通孔１１ａが多数形成されているため、通水可能となっている。また、その後縁がボトムパネル２１と同様に略三角形に窪んで凹部１１ｂが形成されている。
【００２５】
また図示のように、前後左右のサイドパネル１２のうち、後サイドパネル１２はトップパネル１１に対してほぼ垂直に垂下しているが、前および左右のサイドパネル１２はトップパネル１１に対する垂直方向から傾斜して垂下している。
この傾斜があることにより、小便器Ｔに排尿を行う人がマットホルダ１に躓きにくくなっている。
ここで、前および左右のサイドパネル１２の傾斜角度は特に限定されないが、トップパネル１１に対して１３５度が例示できる。
また、後サイドパネル１２は、トップパネル１１の凹部１１ｂに対応する箇所が切りかかれている。
【００２６】
さらに図２のように、抜け止め片１３は、前後のサイドパネル１２から内向きに２つずつ延びている。
前後のサイドパネル１２に対する前後の抜け止め片１３それぞれの連設箇所は対応しているため、前抜け止め片１３と後抜け止め片１３の先端同士が対向して２つの対をなしている。
なお、この実施形態では、図３および図４のように前側の抜け止め片１３が後側の抜け止め片１３よりも長く形成されている。
【００２７】
ここでカバー１０の材質は特に限定されないが、耐食性、耐久性などを考慮するとステンレス製であるのが好ましい。
このようにステンレス製である場合には、これらトップパネル１１、サイドパネル１２、抜け止め片１３は、ステンレス板を適宜形状に打ち抜いて、折り曲げ加工することにより一体に形成するのが、製造が容易であるため好ましい。
またカバー１０の厚みも特に限定されないが、ステンレス板を用いる場合には、約１ｍｍとすると軽量であり、強度も十分であるため好ましい。
【００２８】
トップパネル１１およびサイドパネル１２は、図４のように、ベース２０を完全に覆っているため、左右のサイドパネル１２の下縁間の距離がベース２０のボトムパネル２１の左右の長さよりも大きく、前後のサイドパネル１２の下縁間の距離がベース２０の前後フランジ２２の先端間距離よりも大きくなっている。
このようなサイドパネル１２の前後方向の長さ寸法は特に限定されないが、ボトムパネル２１の前後方向の長さについて先に例示した約４３０ｍｍ、またこれに前後フランジ２２の突出量を合わせた約４４５ｍｍ、のいずれよりも大きい約４５０ｍｍが例示できる。
【００２９】
また、図４のように、マットホルダ１を組み上げた状態で、ベース２０のボトムパネル２１が前後の抜け止め片１３の先端間に配置されているため、前後の抜け止め片１３の先端間距離が、ボトムパネル２１の前後方向の長さよりも大きくなっている。
前後の抜け止め片１３の先端間距離は特に限定されないが、ボトムパネル２１の前後方向に長さについて先に例示した約４３０ｍｍよりも大きい約４３５ｍｍが例示できる。
また抜け止め片１３の長さとしては、前側の抜け止め片１３が約１５ｍｍ、後側の抜け止め片１３が約１０ｍｍが例示でき、この場合フランジ２２との最大係合長さはそれぞれ約１５ｍｍ、約１０ｍｍとなる。
【００３０】
さらに、図４のように、抜け止め片１３間と、ベース２０のボトムパネル２１には隙間があるため、カバー１０はベース２０に対して前後に所定距離スライド可能である。
そして、カバー１０を前方向に最大限スライドさせると、前側の抜け止め片１３と前側のフランジ２２との係合が解除可能になっている。すなわち、カバー１０のスライド可能
量は、前側の抜け止め片１３と前側のフランジ２２との最大係合長さ以上になっている。
先に例示した寸法の場合、ボトムパネル２１は抜け止め片１３間で前後方向に約５ｍｍのスライドが許容され、前側のフランジ２２と前側の抜け止め片１３の最大係合長さが約５ｍｍであるため、カバー１０を前方向に最大限にスライドさせると、前側のフランジ２２と抜け止め片１３の係合が丁度解除されるようになっている。
【００３１】
ここでマットホルダ１に収納される吸水消臭性を有するマットＭの種類は特に限定されないが、尿の悪臭を分解したり消臭したりする機能性繊維からなるものが好ましい。
このような機能性繊維としては、東洋紡績株式会社のディスメル（登録商標）、株式会社環境浄化研究所の放射線グラフト重合技術を用いた消臭繊維が好ましい。
また、従来のような、活性炭入りのトイレマットを用いても構わない。
【００３２】
実施形態のマットホルダ１の構成は以上であり、次にその用途について説明する。
ベース２０のボトムパネル２１にマットＭを載置したうえで、ベース２０の上からカバー１０を被せ、前側フランジ２２の下面に前側抜け止め片１３が係合し、後側フランジ２２の下面に後側抜け止め片１３が係合した状態に取り付けてマットホルダ１を組み上げる。
これを図１のように、小便器Ｔの手前側に近接させて、その凹部１１ｂ、２１ａに小便器Ｔの前下部がはまり込むようにして設置する。
ここで、このマットホルダ１は、そのベース２０が発泡塩化ビニル板で形成されるなどして軽量であるため、設置の際の持ち運びが容易になっている。
【００３３】
小便器Ｔに排尿する際には、小便器Ｔから手前側にはね返ってきた尿が、トップパネル１１の貫通孔１１ａを通ってマットホルダ１内部に入り、マットＭに付着する。マットＭに付着した尿は速やかに吸収され、またマットＭの種類に応じて適宜分解消臭される。これにより、床が尿で汚れず、トイレの清潔が保たれる。
ここで、上記のように小便器Ｔの前下部に対応する凹部１１ｂ、２１ａがあるため、マットホルダ１を小便器Ｔにより近接させることができ、はね返ってきた尿をマットＭに効率的に吸水消臭させることができる。
【００３４】
このようにマットホルダ１を設置して一定期間が経過し、マットＭを交換または洗濯する必要が生じたときは、カバー１０を前方向にスライドさせて前側の抜け止め片１３と前側のフランジ２２との係合を解除する。
ついで図４の鎖線で示すように、カバー１０を後部を中心に上方に回動させると、後側の抜け止め片１３と後側のフランジ２２との係合も解除できる状態になるため、ベース２０から取り外し可能となる。
【００３５】
マットＭを入れ替えまたは入れ直した後、カバー１０をベース２０に対して傾斜させた状態で後側の抜け止め片１３を後側のフランジ２２の下面に係合させ、ついでカバー１０を後部を中心にベース２０に平行になるまで下方に回動させる。さらに、カバー１０を後方向にスライドさせると前側の抜け止め片１３が前側のフランジ２２の下面に係合するため、カバー１０は回動不能となってベース２０に取り付けられる。
【００３６】
以上のように、カバー１０のベース２０に対する取り付け取り外しを、カバー１０を前後にスライドおよび上下に回動させるだけで、ほぼワンタッチで簡単に行うことができる。また、カバー１０をベース２０に取り付ける際に、クリップ等の別部品を要しないため、部品点数を削減でき、コストを抑えることができる。
【００３７】
ここで、マットホルダ１の凹部１１ｂ、２１ａは、図５のように省略可能である。
また、カバー１０のサイドパネル１２は、実施形態のように傾斜させなくともよく、前後左右のすべてをトップパネル１１に対してほぼ垂直に垂下させてもよい。
さらに、カバー１０の抜け止め片１３は、実施形態のように二対である必要はなく、すくなくとも一対あればよい。またベース２０のストッパ２３は適宜省略可能である。
なお、このマットホルダ１は、トイレだけでなく、台所のシンクなど水回りの全般に使用できることは無論であり、シンク等からはね返って床に飛散する水分を吸収し、床が濡れるのを防止することができる。
【符号の説明】
【００３８】
１  実施形態のマットホルダ
２  従来のマットホルダ
１０  カバー
１１  トップパネル
１１ａ  貫通孔
１１ｂ  凹部
１２  サイドパネル
１３  抜け止め片
２０  ベース
２１  ボトムパネル
２１ａ  凹部
２２  フランジ
２３  ストッパ
２４  チャンネル部材
３０  クリップ
Ｍ  マット
Ｔ  小便器
【図１】
0003153068.tif 000003
【図２】
0003153068.tif 000004
【図３】
0003153068.tif 000005
【図４】
0003153068.tif 000006
【図５】
0003153068.tif 000007
【図６】
0003153068.tif 000008